【手続補正書】
【提出日】平成31年2月18日(2019.2.18)
【手続補正１】
【補正対象書類名】明細書
【補正対象項目名】００２０
【補正方法】変更
【補正の内容】
【００２０】
配線モジュールの第１２の態様は、第１から第１１のいずれか一つの態様にかかる配線モジュールであって、第２信号線を更に備える。第２嵌合部は、電気機器に信号を出力する第３端子を有する。接続部材は、第２信号線と第３端子とを接続する配線を更に有する。
【手続補正２】
【補正対象書類名】明細書
【補正対象項目名】００２２
【補正方法】変更
【補正の内容】
【００２２】
配線モジュールにおける接続部材は、蓄電装置から電力を電気機器に供給する車載用の配線モジュールにおける接続部材である。接続部材は、第１嵌合部と、第２嵌合部と、スイッチとを備える。第１嵌合部は、蓄電装置の第１出力端子に接続され、長手方向に長い扁平な導電体からなる第１導体板と嵌合する。第２嵌合部は、電気機器へ供給される電力が経由する第１端子を有する。スイッチは第１端子と第１導体板との間の導通／非導通を切り替える。
【手続補正３】
【補正対象書類名】明細書
【補正対象項目名】００２６
【補正方法】変更
【補正の内容】
【００２６】
導体板１０は一体の導電体からなり、長手方向に延在する長尺形状を有しており、その長手方向に垂直な断面において、扁平な形状を有している。導電体の一例として、銅、アルミ等の導電体からなる導体板を採用できる。例えば導体板１０は、その断面において、例えば長方形の形状を有している。ここでいう断面とは、導電性を有する部分についての断面であり、例えば導体板１０が絶縁被覆によって覆われている場合、その絶縁被覆は含まれない。導体板１０の厚みは適宜に設定されればよいものの、例えば０．５［ｍｍ］以上、且つ、１［ｍｍ］以下に設定され得る。導体板１０の幅（長手方向および厚み方向に垂直な方向に沿う幅）も適宜に設定されればよいものの、例えば、５０［ｍｍ］以上、且つ、１００［ｍｍ］以下に設定され得る。
【手続補正４】
【補正対象書類名】明細書
【補正対象項目名】００３３
【補正方法】変更
【補正の内容】
【００３３】
なお信号線群３０は必ずしも導体板２０に対して導体板１０とは反対側に配置される必要はない。信号線群３０は導体板１０に対して導体板２０とは反対側に配置されてもよい。要するに、信号線群３０は導体板１０，２０によって挟まれる空間を避けて設けられるとよい。これにより、よって、導体板１０，２０の間の距離を短く設定することができ、電磁気的なノイズの放射を効果的に低減することができる。例えば、信号線群３０は、導体板１０，２０が重ね合わされた周囲に配置されるとよい。これによれば、導体板１０，２０に信号線群３０を配置することができる。
【手続補正５】
【補正対象書類名】明細書
【補正対象項目名】００３８
【補正方法】変更
【補正の内容】
【００３８】
導体板１０，２０が蓄電装置５００に接続される場合には、端子６１１，６１２は電源用の端子として機能する。つまり、端子６１１，６１２は蓄電装置５００の電力を電気機器へ供給する端子である。言い換えれば、蓄電装置５００からの電気機器へ供給される電力は端子６１１，６１２を経由する。嵌合部６１がコネクタ２０１に結合すれることによって、電源用の端子６１１，６１２は、それぞれ、配線群２１０に含まれる配線２１１，２１２に接続される。この接続により、蓄電装置５００からの電力を、配線２１１，２１２に接続される電気機器へと供給することができる。
【手続補正６】
【補正対象書類名】明細書
【補正対象項目名】００４４
【補正方法】変更
【補正の内容】
【００４４】
図２においては、例えば嵌合部６１は端子６１３〜６１５を更に有しており、これらは接続部材４０において、それぞれ信号線３３〜３５に接続されている。よって、端子６１３〜６１５は信号用の端子として機能する。嵌合部６１がコネクタ２０１に結合することで、信号用の端子６１３〜６１５は、それぞれ、配線群２１０に含まれる配線２１３〜２１５に接続される。これにより、信号線３３〜３５に接続される電気機器（不図示）は、配線２１３〜２１５に接続される電気機器と信号のやり取りを行うことができる。
【手続補正７】
【補正対象書類名】明細書
【補正対象項目名】００４６
【補正方法】変更
【補正の内容】
【００４６】
嵌合部６２は電源用の端子６２１，６２２を備えている。導体板１０は接続部材４０において、例えばスイッチ４２およびヒューズ５２を介して電源用の端子６２１に接続されている。導体板２０は接続部材４０において、電源用の端子６２２に接続されている。嵌合部６２がコネクタ２０２と結合することにより、電源用の端子６２１，６２２はそれぞれ、配線群２２０に含まれる配線２２１，２２２と接続される。この接続により、蓄電装置５００からの電力を、配線２２１，２２２に接続される電気機器へと供給できる。つまり、端子６２１，６２２は蓄電装置５００の電力を電気機器へ供給する端子である。言い換えれば、蓄電装置５００からの電気機器へ供給される電力は端子６２１，６２２を経由する。
【手続補正８】
【補正対象書類名】明細書
【補正対象項目名】００４８
【補正方法】変更
【補正の内容】
【００４８】
図２においては、例えば嵌合部６２は信号用の端子６２４，６２５を更に有している。信号線３４，３５は接続部材４０において、それぞれ信号用の端子６２４，６２５に接続される。嵌合部６２がコネクタ２０２に結合することにより、信号用の端子６２４，６２５はそれぞれ、配線群２２０に含まれる配線２２４，２２５に接続される。これにより、信号線３４，３５に接続される電気機器が、配線２２４，２２５に接続される電気機器と信号をやり取りすることができる。
【手続補正９】
【補正対象書類名】明細書
【補正対象項目名】００４９
【補正方法】変更
【補正の内容】
【００４９】
嵌合部６３は例えば電源用の端子６３１，６３２を備えている。導体板１０は接続部材４０において、例えばヒューズ５３を介して電源用の端子６３１に接続されている。導体板２０は接続部材４０において電源用の端子６３２に接続されている。嵌合部６３がコネクタ２０３と接続されることにより、電源用の端子６３１，６３２はそれぞれ、配線群２３０に含まれる配線２３１，２３２と接続される。この接続により、蓄電装置５００からの電力を、配線２３１，２３２に接続される電気機器へと供給できる。つまり、端子６３１，６３２は蓄電装置５００の電力を電気機器へ供給する端子である。言い換えれば、蓄電装置５００からの電気機器へ供給される電力は端子６３１，６３２を経由する。ヒューズ５３はヒューズ５１と同様に、配線２３１，２３２に接続される電気機器を、過電流から保護することができる。
【手続補正１０】
【補正対象書類名】明細書
【補正対象項目名】００５０
【補正方法】変更
【補正の内容】
【００５０】
図２においては、例えば嵌合部６３は信号用の端子６３３を更に有している。信号線３３は接続部材４０において信号用の端子６３３に接続される。嵌合部６３がコネクタ２０３に結合することにより、信号用の端子６３３は、配線群２３０に含まれる配線２３３に接続される。これにより、信号線３３に接続される電気機器が、配線２３３に接続される電気機器と信号をやり取りすることができる。
【手続補正１１】
【補正対象書類名】明細書
【補正対象項目名】００５８
【補正方法】変更
【補正の内容】
【００５８】
図３の例においては、絶縁被覆１１Ａ，２１Ａ，１１Ｂ，２１Ｂも示されている。絶縁被覆１１Ａは、少なくとも導体板１０Ａの上記一端部を除いて、導体板１０Ａを被覆している。絶縁被覆２１Ａは、少なくとも導体板２０Ａの上記一端部を除いて、導体板２０Ａを被覆している。絶縁被覆１１Ｂ，２１Ｂも、それぞれ絶縁被覆１１Ａ，２１Ａと同様に、導体板１０Ｂ，２０Ｂのうち、少なくともこれらが接続部材４０に挿入される一端部を除いて導体板１０Ｂ，２０Ｂを被覆している。
【手続補正１２】
【補正対象書類名】明細書
【補正対象項目名】００７６
【補正方法】変更
【補正の内容】
【００７６】
図４および図５を参照して、接続導体９１は接続部材４０において、嵌合部６１の電源用の端子６１１および嵌合部６２の電源用の端子６２１に電気的に接続される。具体的には接続導体９１は、スイッチ４１およびヒューズ５１を介して電源用の端子６１１に接続され、スイッチ４２およびヒューズ５２を介して電源用の端子６２１に接続される。
【手続補正１３】
【補正対象書類名】明細書
【補正対象項目名】００７９
【補正方法】変更
【補正の内容】
【００７９】
この場合、基板７の主面７ｂ側には、配線７１の一部である配線７１ｂが形成されている。例えば接続導体９１の連結部９１４の一部が、直接または導電部材（例えば半田、または、導電性樹脂など）を介して、配線７１ｂの一部に接続されている。連結部９１４は例えば柱部９１１，９１１を互いに連結する。図５に示すように、例えば連結部９１４に突部９１７が設けられてもよい。突部９１７は連結部９１４から基板７に平行な方向に延在しており、突部９１７の先端部が配線７１ｂに接続される。
【手続補正１４】
【補正対象書類名】明細書
【補正対象項目名】００８６
【補正方法】変更
【補正の内容】
【００８６】
信号線３３Ａは、接続部材４０において、嵌合部６１の信号用の端子６１３に接続されている。これにより、信号線３３Ａに接続される電気機器は、配線２１３に接続される電気機器と信号をやり取りできる。例えば基板７の主面７ａ側には、配線８３が形成されている。配線８３は例えば金属であって、例えばパターン配線であってもよい。配線８３は、嵌合部６０Ａの信号線３３Ａ用の端子、および、嵌合部６１の信号用の端子６１３を互いに電気的に接続する。
【手続補正１５】
【補正対象書類名】明細書
【補正対象項目名】００８９
【補正方法】変更
【補正の内容】
【００８９】
接続部材４０は導体板１０，２０および信号用導体板３０１に取り付けられている。図９は、接続部材４０の内部構成の一例を概略的に示す図である。接続部材４０は、例えば、スイッチ４１，４２、ヒューズ５１〜５３、嵌合部６１〜６３および制御回路５０を備えている。ここでは、配線モジュール１００との相違点について説明する。制御回路５０は導体板１０，２０に接続されており、これらを介して蓄電装置５００から電力を受け取る。制御回路５０は当該電力を用いて動作する。また制御回路５０は信号用導体板３０１にも接続されている。制御回路５０は信号用導体板３０１から多重化信号を受け取り、この多重化信号を解析して、各信号を分離する。この多重化信号には、スイッチ４１，４２の導通／非導通を制御するための制御信号が含まれている。